【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
媒体積載部に積載された複数の媒体の内の、最も下位の媒体に予め決められた搬送方向の第１の搬送力を付与する第１の搬送部と、
前記第１の搬送部の前記搬送方向の下流に配置され、前記搬送方向に搬送される媒体に前記搬送方向の第２の搬送力を付与する第２の搬送部と、
前記第１の搬送力を付与された媒体の前記搬送方向の後端が前記第１の搬送部を通過したことを検出する検出手段と、
前記第１の搬送部及び前記第２の搬送部を制御する制御部と、
を備え、
前記制御部は、前記検出手段による検出結果から、前記第１の搬送力を付与された前記媒体の前記搬送方向の後端が前記第１の搬送部を通過したと判断した場合に、前記第１の搬送部を、前記第１の搬送力を付与する搬送状態から前記第１の搬送力を付与しない非搬送状態に切り替えさせる
ことを特徴とする媒体搬送装置。
【請求項２】
前記第２の搬送部との間に前記搬送方向に搬送される前記媒体を通過させる通路を形成する移動規制部をさらに備え、
前記移動規制部は、前記媒体積載部に積載された前記複数の媒体の内の、前記搬送方向に搬送される前記媒体上に積載された媒体の前記搬送方向の移動を規制する
ことを特徴とする請求項１に記載の媒体搬送装置。
【請求項３】
前記第２の搬送部と前記移動規制部の前記第２の搬送部に最も近い部分との間隔は、前記搬送方向に搬送される前記媒体の厚さよりも大きいことを特徴とする請求項２に記載の媒体搬送装置。
【請求項４】
前記第２の搬送部と前記移動規制部の前記第２の搬送部に最も近い部分との間隔は、前記搬送方向に搬送される前記媒体の厚さの２倍より小さいことを特徴とする請求項３に記載の媒体搬送装置。
【請求項５】
前記移動規制部は、
前記第２の搬送部に第１の間隔を開けて対向する第１の分離部と、
前記第１の分離部の前記搬送方向の下流に配置され、前記第２の搬送部に前記第１の間隔よりも狭い第２の間隔を開けて対向する第２の分離部と
を有することを特徴とする請求項２から４のいずれか１項に記載の媒体搬送装置。
【請求項６】
前記第１の搬送部は、
前記最も下位の媒体の下面に前記第１の搬送力を付与する第１の補助ローラと、
前記制御部によって制御され、前記第１の補助ローラを回転又は回転停止させる第１の駆動部と、
を有することを特徴とする請求項１から５のいずれか１項に記載の媒体搬送装置。
【請求項７】
前記検出手段は、前記第１の補助ローラの前記搬送方向の上流の第１の基準位置に配置され、前記第１の基準位置における前記第１の搬送力を付与された前記媒体の状態を検出する第１の媒体センサを有し、
前記制御部は、前記第１の媒体センサによる検出結果から、前記媒体の前記後端が前記第１の基準位置を通過したと判断した場合に、前記第１の駆動部によって回転している前記第１の補助ローラの回転を停止させる
ことを特徴とする請求項６に記載の媒体搬送装置。
【請求項８】
前記制御部は、前記第１の媒体センサによる検出結果から、前記第１の基準位置に前記第１の搬送力を付与された前記媒体が存在しないと判断した場合に、前記第１の補助ローラを回転させないことを特徴とする請求項７に記載の媒体搬送装置。
【請求項９】
前記第１の搬送部は、
前記最も下位の媒体の下面に前記第１の搬送力を付与する第２の補助ローラと、
前記制御部によって制御され、前記第２の補助ローラを回転又は回転停止させる第２の駆動部と、
を有することを特徴とする請求項６から８のいずれか１項に記載の媒体搬送装置。
【請求項１０】
前記検出手段は、前記第１の補助ローラと前記第２の補助ローラとの間の第２の基準位置に配置され、前記第２の基準位置における前記第１の搬送力を付与された前記媒体の状態を検出する第２の媒体センサを有し、
前記制御部は、前記第２の媒体センサによる検出結果から、前記第１の搬送力を付与された前記媒体の前記後端が前記第２の基準位置を通過したと判断した場合に、前記第２の駆動部によって回転している前記第２の補助ローラの回転を停止させる
ことを特徴とする請求項９に記載の媒体搬送装置。
【請求項１１】
前記制御部は、前記第２の媒体センサによる検出結果から、前記第２の基準位置に前記第１の搬送力を付与された前記媒体が存在しないと判断した場合に、前記第２の補助ローラを回転させないことを特徴とする請求項１０に記載の媒体搬送装置。
【請求項１２】
前記検出手段は、前記第２の補助ローラと前記第２の搬送部との間の第３の基準位置に配置され、前記第３の基準位置における前記第１の搬送力を付与された前記媒体の状態を検出する第３の媒体センサを有し、
前記制御部は、前記第３の媒体センサによる検出結果から、前記第３の基準位置に前記第１の搬送力を付与された前記媒体が存在しないと判断した場合に、前記第２の搬送部を駆動させないことを特徴とする請求項９又は１０に記載の媒体搬送装置。
【請求項１３】
前記媒体積載部に積載されている媒体が第２の高さ基準位置に存在するか否かを検出する第２の高さセンサをさらに備え、
前記制御部は、前記第２の高さセンサによる検出結果から、前記第２の高さ基準位置に媒体が存在しないと判断した場合に、前記第１の補助ローラを駆動させない
ことを特徴とする請求項９から１１のいずれか１項に記載の媒体搬送装置。
【請求項１４】
前記媒体積載部に積載されている媒体が前記第２の高さ基準位置よりも低い第１の高さ基準位置に存在するか否かを検出する第１の高さセンサをさらに備え、
前記制御部は、前記第１の高さセンサによる検出結果から、前記第１の高さ基準位置に媒体が存在しないと判断した場合に、前記第２の補助ローラを駆動させない
ことを特徴とする請求項１３に記載の媒体搬送装置。
【請求項１５】
前記第２の搬送部は、
前記搬送方向に搬送される前記媒体に前記第２の搬送力を付与する搬送ベルトと、
前記搬送ベルトが巻き掛けられる複数の搬送ベルトローラと、
前記複数の搬送ローラのいずれかを回転させる搬送ベルト駆動部と、
を有することを特徴とする請求項１から１４のいずれか１項に記載の媒体搬送装置。
【請求項１６】
媒体積載部に積載された複数の媒体の内の、最も下位の媒体に予め決められた搬送方向の第１の搬送力を付与する第１の搬送部と、
前記第１の搬送部の前記搬送方向の下流に配置され、前記搬送方向に搬送される媒体に前記搬送方向の第２の搬送力を付与する第２の搬送部と、
前記媒体積載部に積載された前記媒体を検出する検出手段と、
前記第１の搬送部及び前記第２の搬送部を制御する制御部と、
を備え、
前記制御部は、前記媒体の搬送動作開始前における前記検出手段による検出結果から前記媒体の前記搬送方向の長さを判定し、前記長さに応じて前記第１の搬送力を制御する
ことを特徴とする媒体搬送装置。
【請求項１７】
前記制御部は、前記媒体の前記長さが短いほど前記第１の搬送力を小さくすることを特徴とする請求項１６に記載の媒体搬送装置。
【請求項１８】
前記検出手段は、
前記第１の搬送部と前記第２の搬送部との間の第３の基準位置における前記媒体の有無を検出する第３の媒体センサと、
前記第３の基準位置よりも上流の第２の基準位置における前記媒体の有無を検出する第２の媒体センサと、
を有し、
前記制御部は、前記媒体の搬送動作開始前における前記第３の媒体センサ及び前記第２の媒体センサによる検出結果に応じて前記第１の搬送力を制御する
ことを特徴とする請求項１６又は１７に記載の媒体搬送装置。
【請求項１９】
前記制御部は、
前記第３の媒体センサにより前記媒体が有ることが検出され、前記第２の媒体センサにより前記媒体が無いことが検出されている場合は、前記媒体の搬送動作時に、前記第１の搬送部を停止させ、前記第２の搬送部を駆動させ、
前記第３の媒体センサ及び前記第２の媒体センサの両方により前記媒体が有ることが検出されている場合は、前記媒体の搬送動作時に、前記第１の搬送部及び前記第２の搬送部の両方を駆動させる
ことを特徴とする請求項１８に記載の媒体搬送装置。
【請求項２０】
前記検出手段は、前記第２の基準位置よりも上流の第１の基準位置における前記媒体の有無を検出する第１の媒体センサをさらに有し、
前記制御部は、前記媒体の搬送動作開始前における前記第３の媒体センサ、前記第２の媒体センサ、及び前記第１の媒体センサによる検出結果に応じて前記第１の搬送力を制御する
ことを特徴とする請求項１８又は１９に記載の媒体搬送装置。
【請求項２１】
前記第１の搬送部は、
前記第３の基準位置と前記第２の基準位置の間において前記媒体に前記第１の搬送力を付与する第２の補助ローラと、
前記第２の補助ローラを駆動させる第２の駆動部と、
前記第２の基準位置と前記第１の基準位置の間において前記媒体に前記第１の搬送力を付与する第１の補助ローラと、
前記第１の補助ローラを駆動させる第１の駆動部と、
を有し、
前記制御部は、
前記第３の媒体センサ及び前記第２の媒体センサの両方により前記媒体が有ることが検出され、前記第１の媒体センサにより前記媒体が無いことが検出されている場合は、前記媒体の搬送動作時に、前記第１の駆動部を停止させ、前記第２の駆動部を駆動させ、前記第２の搬送部を駆動させ、
前記第３の媒体センサ、前記第２の媒体センサ、及び前記第１の媒体センサの全てにより前記媒体が有ることが検出されている場合は、前記媒体の搬送動作時に、前記第１の駆動部及び前記第２の駆動部の両方を駆動させ、前記第２の搬送部を駆動させる
ことを特徴とする請求項２０に記載の媒体搬送装置。